(57)【要約】【課題】ポスター印刷を行う場合に、原稿画像の分割位置や各ページにおける分割画像のレイアウトをユーザが確認した上で、複数の記録物を出力可能な印刷制御装置を提供する。【解決手段】原稿画像のサイズおよび用紙のサイズに基づいて、分割後の複数の分割画像のそれぞれが前記所定のサイズに収まるように、原稿画像を分割する。この際、印刷プレビューにおいては、原稿画像に対する分割の位置が明らかになるように、原稿画像を表示する。これにより、ユーザは、画像の分割位置を確認した上で、記録物を出力し結果物を得ることが出来る。【選択図】図６
2015138505.tif 000002
【特許請求の範囲】
【請求項１】
印刷対象の画像を複数に分割して得られる分割画像のそれぞれを所定のサイズを有する用紙に記録することによって複数の記録物を印刷装置に印刷させるための印刷制御装置において、
前記印刷対象の画像のサイズおよび前記所定のサイズに基づいて、分割後の複数の分割画像のそれぞれが前記所定のサイズに収まるように、前記印刷対象の画像を分割する分割手段と、
前記印刷対象の画像に対する前記分割手段による分割の位置を示すように、前記印刷対象の画像を表示装置に表示させる表示制御手段と、
該表示制御手段により表示された分割の位置にもとづいて、前記複数の記録物を前記印刷装置に印刷させる印刷制御手段と
を備えることを特徴とする印刷制御装置。
【請求項２】
前記表示制御手段による表示を行いながら、前記印刷対象の画像に対する前記分割手段による分割の位置を変更するためのコマンドを受容する手段を更に備えることを特徴とする請求項１に記載の印刷制御装置。
【請求項３】
前記分割手段は、前記印刷対象の画像のサイズおよび前記所定のサイズのほか、前記用紙における余白を形成する所定のマージンに基づいて、前記印刷対象の画像を分割することを特徴とする請求項１または２に記載の印刷制御装置。
【請求項４】
前記分割手段は、前記印刷対象の画像のサイズおよび前記所定のサイズのほか、前記用紙における余白を形成する所定のマージンおよびユーザが前記複数の記録物を貼り合わせる際の所定の貼り合わせ幅に基づいて、前記印刷対象の画像を分割することを特徴とする請求項１または２に記載の印刷制御装置。
【請求項５】
前記表示制御手段は、前記複数の分割画像のそれぞれに対する前記余白の位置と大きさの表示または非表示を切り替えることが可能であることを特徴とする請求項３または４に記載の印刷制御装置。
【請求項６】
前記用紙は所定の幅を有する連続紙であり、前記印刷制御手段は、前記印刷装置が前記連続紙に個々の前記分割画像を印刷し該分割画像の大きさに応じて切断することによって前記複数の記録物を出力するように、当該複数の記録物を前記印刷装置に印刷させることを特徴とする請求項１ないし５のいずれか１項に記載の印刷制御装置。
【請求項７】
前記用紙は所定の長辺と短辺を有するカット紙であり、前記印刷制御手段は、前記印刷装置が前記カット紙に個々の前記分割画像を印刷することによって前記複数の記録物を印刷するように、当該複数の記録物を前記印刷装置に印刷させることを特徴とする請求項１ないし５のいずれか１項に記載の印刷制御装置。
【請求項８】
印刷対象の画像を複数に分割して得られる分割画像のそれぞれを所定のサイズを有する用紙に記録することによって複数の記録物を印刷装置に印刷させるための印刷制御方法において、
前記印刷対象の画像のサイズおよび前記所定のサイズに基づいて、分割後の複数の分割画像のそれぞれが前記所定のサイズに収まるように、前記印刷対象の画像を分割する分割工程と、
前記印刷対象の画像に対する前記分割工程による分割の位置を示すように、前記印刷対象の画像を表示装置に表示させる表示制御工程と、
該表示制御工程により表示された分割の位置にもとづいて、前記複数の記録物を前記印刷装置に印刷させる印刷制御工程と
を有することを特徴とする印刷制御方法。
【請求項９】
請求項８に記載の印刷制御方法をコンピュータに実行させるためのプログラム。
【発明の詳細な説明】
【技術分野】
【０００１】
本発明は、印刷制御装置、印刷制御方法、およびプログラムに関する。
【背景技術】
【０００２】
ポスター印刷では、画像を所定の大きさに拡大した後これを分割し、これら分割された画像の夫々をプリンタが取り扱い可能なサイズの複数の用紙に記録することがある。そして、出力された複数の用紙をユーザが繋ぎ合わせることによって、大きなサイズの結果物が完成される。特許文献１には、ロール紙を取り扱う記録装置において、画像を短冊状に分割して記録することにより、画像の分割数を低減し貼り合わせ作業の負担をなるべく抑えることが可能な印刷制御方法が開示されている。
【先行技術文献】
【特許文献】
【０００３】
【特許文献１】特開２００３―１９１５３８号公報
【発明の概要】
【発明が解決しようとする課題】
【０００４】
しかしながら、特許文献１では、ユーザは貼り合わせ後の仕上がりサイズや分割数などを指定するのみで、その後の拡大処理および分割処理などはプリンタドライバが自動的に行っている。このため、ユーザは、原稿のどの部分で画像が分割され、個々の出力物ではどの程度の余白がどの位置に設けられるのかを、印刷前に確認することが困難であった。例えば、プリンタドライバにおける印刷プレビュー機能で、ページ単位の表示を行うことが出来たとしても、分割された画像同士がどの程度の余白を介して記録されるのかなどを事前に知ることは出来ない場合があった。
【０００５】
本発明は上記問題点を解決するために成されたものである。よってその目的とするところは、印刷対象の画像の分割位置や各ページにおける分割画像のレイアウトをユーザが確認した上で、複数の記録物を出力可能な印刷制御装置を提供することである。
【課題を解決するための手段】
【０００６】
そのために本発明は、印刷対象の画像を複数に分割して得られる分割画像のそれぞれを所定のサイズを有する用紙に記録することによって複数の記録物を印刷装置に印刷させるための印刷制御装置において、前記印刷対象の画像のサイズおよび前記所定のサイズに基づいて、分割後の複数の分割画像のそれぞれが前記所定のサイズに収まるように、前記原稿画像を分割する分割手段と、前記印刷対象の画像に対する前記分割手段による分割の位置を示すように、前記印刷対象の画像を表示装置に表示させる表示制御手段と、該表示制御手段により表示された分割の位置にもとづいて、前記複数の記録物を前記印刷装置に印刷させる印刷制御手段とを備えることを特徴とする。
【発明の効果】
【０００７】
本発明によれば、ユーザの所望の位置で画像が分割された記録物を得ることが出来る。
【図面の簡単な説明】
【０００８】
【図１】本発明に使用可能な印刷システムを示すブロック図である。
【図２】印刷システムのハード的なブロック図を示す図である。
【図３】本発明に使用可能なプリンタの内部構成を説明するための断面図である。
【図４】ポスター印刷を行う際のＵＩウインドウの一例を示す図である。
【図５】レイアウト処理を説明するためのフローチャートである。
【図６】（ａ）〜（ｃ）は、表示するレイアウト例を示す図である。
【図７】印刷処理を説明するためのフローチャートである。
【図８】レイアウト処理を説明するためのフローチャートである。
【図９】印刷処理を説明するためのフローチャートである。
【発明を実施するための形態】
【０００９】
以下、図面を参照し、本発明の実施の形態について説明する。  
（第１の実施形態）
図１は本発明に使用可能な印刷システムを示すブロック図である。本実施形態において、印刷システムは、パーソナルコンピュータのようなホスト装置１とプリンタ２を含む。ホスト装置１とプリンタ２は、例えばＵＳＢ、ＩＥＥＥ１３９４、ＴＣＰ／ＩＰのような所定の双方向インタフェースを介して互いに接続されている。
【００１０】
ホスト装置１には、ソフトウエアとして、ユーザが原稿画像を作製するためのアプリケーション３と、アプリケーション３で作製した原稿画像の画像データをプリンタ２で記録可能な記録データに処理するためのプリンタドライバ４が備わっている。ポスター印刷が指定された際に本発明の特徴的な処理を行う印刷レイアウトソフトウエア５は、プリンタドライバ４における機能として備わっている。
【００１１】
図２は上記印刷システムのハード的なブロック図を示す図である。ホスト装置１は、ＣＰＵを備えた中央処理装置２０１、ＲＡＭなどの記憶装置２０２、マウスやキーボード等の入力装置２０３、ＣＲＴやＬＣＤなどの表示装置２０４、ハードディスクや光磁気ディスク等の補助記憶装置２０５を備えている。これら機構は、内部バスラインＩＢにより接続されている。なお、入力装置２０３、表示装置２０４は、ホスト装置１に接続される外部デバイスであってもよい。中央処理装置２０１は、補助記憶装置２０５に記憶された各種プログラムに従って、記憶装置２０２をワークエリアとして用いながら、装置全体の処理をコントロールする。例えば、補助記憶装置２０５には、アプリケーション３、プリンタドライバ４やＯＳ、その他プログラム情報が格納されており、中央処理装置２０１から適宜呼び出され記憶装置２０２で展開される。また、中央処理装置２０１は、表示装置２０４を介してユーザに様々な情報を提供しつつ、ユーザが入力する各種コマンドや設定値を、入力装置２０３を介して受信する。内部バスラインＩＢは、外部バスラインＢＬを介してプリンタ２に接続され、ホスト装置１からプリンタ２に対して、ジョブ登録を行うことができる。また後述する図５、図７〜図９に示すフローチャートの処理も、中央処理装置２０１により実現される。
【００１２】
図３は、本発明に使用可能なプリンタ２の内部構成を説明するための断面図である。図において、制御部１３は、プリンタ２全体の制御を行うコントローラ１５などを備えている。シート供給部３１は、２つのロール紙Ｒ１、Ｒ２を収納し、択一的にシート（用紙）を引き出して搬送経路に供給する。また、シート供給部３１は、これらロール紙の他、不図示の給紙トレイよりカット紙を供給することも出来るようになっている。
【００１３】
デカール部３２は、シート供給部３１から供給されたシートのカール（反り）を軽減させるユニットである。デカール部３２では、１つの駆動ローラに対して２つのピンチローラを押し当て、シートに対しカールとは逆向きの反りを与える。デカール部３２を通過することで、シート供給部３１や反転部９でのカール癖は軽減され、シートは平滑に搬送される。
【００１４】
斜行矯正部３３は、デカール部３２を通過したシートの斜行（進行方向に対する傾き）を矯正するユニットである。基準となる側のシート端部をガイド部材に押し付けることにより、シートが直進するように方向付ける。
【００１５】
プリント部３４は、搬送されるシートに対して記録ヘッド部１４からインクを吐出して画像を記録する。本実施例の記録ヘッド部１４には、インク色ごとに用意された複数の記録ヘッドがＸ方向に並列配置されている。本例ではＣ（シアン）、Ｍ（マゼンタ）、Ｙ（イエロー）、Ｋ（ブラック）の４色に対応した４つの記録ヘッドを有する。なお、色数及び記録ヘッドの数は４つには限定はされない。また、インクジェット方式以外の記録ヘッドを採用しても構わない。
【００１６】
カッタ部６は、シートがロール紙である場合、記録が完了した部分の画像を、ページごとに切断するユニットである。情報記録部７は、画像シートの余白領域に記録画像に関わるシリアル番号や日付などの情報を文字やコードとして記録する。乾燥部８は、付与されたインクを短時間に乾燥させるためのユニットである。
【００１７】
排出搬送部１０は、カッタ部６で切断され乾燥部８で乾燥させられたカットシートを、ソータ部１１まで搬送する。ソータ部１１は、記録済みのカットシートをサイズ別などのグループごとに仕分け、夫々の排出口へと排出する。個々の排出口には、カットシートを受けるためのトレイ１２が用意され、カットシートはいずれかのトレイ１２上に積載される。
【００１８】
以下、上記印刷システムを用いてポスター印刷を行う場合の処理を具体的に説明する。アプリケーション３で作製した原稿画像をポスター印刷したいとき、ユーザはアプリケーション３上のメニューから印刷ダイアログを選択し、これを起動する。アプリケーション３の印刷ダイアログでは、プロパティボタン等を押下することにより、現在設定されているプリンタドライバ４のＵＩ画面が表示される。ユーザは、この画面において印刷設定を確認したり変更したりすることができる。
【００１９】
図４は、ポスター印刷を行う際に、プリンタドライバ４が提供するＵＩウインドウの一例を示す図である。図において、給紙コンボボックス３０１は、ユーザが出力用紙の給紙方法を指定するためのコンボボックスであり、本実施形態ではロール紙およびカット紙を選択可能とする。給紙コンボボックス３０１でロール紙が指定されると、ロール紙幅コンボボックス３０２がアクティブになり、複数のロール紙幅（サイズ）の中から１つのサイズが設定可能となる。
【００２０】
ページレイアウトの編集チェックボックス３０３は、ユーザが分割画像のレイアウトを、確認・調整するか否かを設定するためのチェックボックスである。ページレイアウトの編集チェックボックス３０３をチェックすることにより、印刷レイアウトソフトウェア５が起動された際、ユーザは、印刷レイアウトソフトウェア５を介して、分割画像のレイアウトを確認したり調整したりすることが出来るようになる。印刷レイアウトソフトウェア５の動作についは、後で詳しく説明を行う。以上の設定がなされた状態で、ＯＫボタン３０４をクリックすると、プリンタドライバ４の設定は終了する。一方、キャンセルボタン３０５をクリックすると、図４で設定した各項目が全てキャンセルされる。
【００２１】
その後、アプリケーション３の印刷ダイアログから印刷開始ボタンをクリックすることにより、アプリケーション３からプリンタドライバ４に印刷データが渡され、印刷レイアウトソフトウェア５を介してレイアウト処理が開始される。
【００２２】
図５は、印刷レイアウトソフトウェア５が実行するレイアウト処理を説明するためのフローチャートである。本処理が開始されると、まずステップＳ４０１において、印刷レイアウトソフトウェア５は、図４のウインドウで設定されたロール紙の幅Ｗおよびマージンｄをプリンタ２またはプリンタドライバ４より取得する。
【００２３】
続くステップＳ４０２では、ステップＳ４０１で取得したロール紙幅Ｗおよびマージンｄより、ロール紙の幅方向における記録可能範囲Ｗ´＝Ｗ−２×ｄを算出する。例えば、ロール紙幅Ｗ＝３００ｍｍ、マージンｄ＝５ｍｍの場合、記録可能範囲Ｗ´は、ロール紙幅３００ｍｍから左右５ｍｍを引いた範囲（２９０ｍｍ）になる。
【００２４】
ステップＳ４０３では、原稿画像の幅Ｄが記録可能範囲Ｗ´を超えているか否かを判断する。Ｄ＞Ｗ´の場合、ポスター印刷処理が必要と判断し、ステップＳ４０４へ進む。一方、ステップＳ４０３でＤ≦Ｗ´の場合、原稿画像は分割することなくロール紙に記録可能であると判断し、本処理を終了する。
【００２５】
ステップＳ４０４では、原稿画像の幅Ｄと記録可能範囲Ｗ´から、分割した後の分割画像のそれぞれが用紙のサイズに収まる程度に、分割数Ｎを算出する。具体的には、Ｄ／Ｎ≦Ｗ´を満たすうち、最小の自然数を分割数Ｎと設定する。例えば、ロール紙幅Ｗ´＝３００ｍｍ、マージンｄ＝５ｍｍで、原稿画像の幅Ｄ＝６００ｍｍである場合、Ｎ＝３  （６００／３＜２９０）となる。具体的に３分割された夫々の画像に着目すると、左の画像は、左側に余白ｄ＝５ｍｍ、右側に余白ｄ＝５ｍｍが形成され、残りの２９０ｍｍ（＝３００−２×５）が画像記録領域となる。また、真ん中の画像についても、左側に余白ｄ＝５ｍｍ、右側に余白ｄ＝５ｍｍが形成され、残りの２９０ｍｍ（＝３００−２×５）が画像記録領域となる。右の画像については、左側に余白ｄ＝５ｍｍが形成され、原稿画像幅Ｄのうち残りの画像領域２０ｍｍ（＝６００−（２９０＋２９０））が画像記録領域となる。結果、右側には２７５ｍｍ（＝３００−（５＋２０））の余白が形成される。
【００２６】
ステップＳ４０５では、上記条件Ｗ、ｄ、Ｗ´、ＤおよびＮに基づいて、分割した原稿画像のレイアウト状態を表示装置２０４を介して表示する。なお、この表示において印刷レイアウトソフトウェア５が、アプリケーション３から印刷対象のデータ（画像やテキスト等）を取得し、取得されたデータに基づき上記の表示制御を行う。
【００２７】
図６（ａ）〜（ｃ）は、ステップＳ４０５で表示する分割後のレイアウト例を示す図である。このような表示により、ユーザは、原稿画像が３分割されること、画像内の分割される位置、および夫々の出力用紙における分割画像のレイアウト状態を知ることが出来る。この際、例えば図６（ｂ）のようにマージンを表示したり、図６（ｃ）のようにマージンを非表示にしたりを、切り替えられるようにする。ここで破線は、分割画像の記録領域、すなわち原稿画像の分割位置を明らかにするものである。このような表示の切り替えが可能であれば、ユーザは、プリンタからの出力物のイメージと貼り合わせ後の結果物のイメージの両方を確認することが出来る。
【００２８】
さらに、ユーザは、このようなレイアウト画像を確認しながら、入力装置２０３を介して分割画像のレイアウトを再編集することも出来る。例えば、図６（ａ）〜（ｃ）の状態において、顔画像の目の位置で画像が分割され好ましくない場合には、原画像をカーソルでクリックした状態で右方向に移動させるドラッグ操作等の何らかの作業によって、ユーザは原画像を好みの位置に移動させることが出来る。また、図６（ａ）〜（ｃ）の状態において、ユーザがドラッグ操作等の操作を行うことで、画像の変倍を行うことができる。具体的には、印刷レイアウトソフトウェア５が上記の印刷対象のデータに基づく画像に対して編集を行う。なお、印刷対象のデータがテキストデータや、ベクターデータの場合、ビットマップ画像にレンダリングされる前のデータに対して編集を行ってもよい。これにより、ユーザが画像の拡大を実行させた場合でも、ビットマップ画像の拡大により画像が劣化してしまうことを防ぐことができる。
【００２９】
ユーザがレイアウトを完成させ、ステップＳ４０６において、編集終了コマンドを入力することによって、本処理は終了する。
【００３０】
図７は、図５で説明した印刷レイアウト処理の終了後、ユーザがプリント開始コマンドを入力した場合に、プリンタドライバ４が実行する印刷処理を説明するためのフローチャートである。本処理が開始すると、プリンタドライバ４は、まずステップＳ７０１において、ロール紙の幅Ｗおよび分割画像の長辺（搬送方向の画像長）から、出力用紙の横サイズおよび縦サイズを決定する。そして、出力用紙の縦幅を仕上がりサイズの長辺に設定し、プリンタ２が実際に記録を行うカスタムサイズとして登録する。
【００３１】
続くステップＳ７０２では、図５で説明した印刷レイアウトの結果に基づき、ステップＳ７０１で設定されたカスタムサイズの出力用紙を、複数枚出力する。具体的には、プリンタドライバ４は、印刷レイアウトソフトウェア５が取得した印刷対象のデータ（画像の移動、変倍等の編集が行われていた場合には編集後のデータ）を取得し、印刷用の画像を作成する。そして、その画像を、印刷レイアウトソフトウェア５により決定された分割位置で画像を分割し、分割後の画像をＳ７０１で登録されたサイズのページにレイアウトする。そして、プリンタ２にレイアウト後の分割画像を出力する。
【００３２】
すると、図３を参照するに、ロール状に保持されている出力用紙が搬送経路に供給された後、図６のようにレイアウトされた３つの画像がプリント部３４において順次記録される。そして、カッタ部６において、カスタムサイズの長辺の長さで切断された後、トレイ１２上に排出される。以上で本処理が終了する。
【００３３】
その後ユーザは、マージンｄを貼り付け領域として用い、出力された３つの記録物を貼り合わせる。これにより、ユーザの所望の位置で分割および張り合わせが行われた結果物を得ることが出来る。
【００３４】
（第２の実施形態）
上記実施形態では、通常の印刷を行う際のマージン領域ｄを張り合わせ領域として使用する内容で説明したが、より多くの領域を張り合わせのために用意することも出来る。  
図８は、本実施形態で印刷レイアウトソフトウェア５が実行するレイアウト処理を説明するためのフローチャートである。本処理が開始されると、印刷レイアウトソフトウェア５は、ステップＳ８０１では、ロール紙の幅Ｗおよびマージンｄの他、糊しろ（貼付け領域）ｋをプリンタ２またはプリンタドライバ４より取得する。この際、糊しろの幅ｋは、プリンタドライバ４を介してユーザが任意に設定できるようにしても良い。
【００３５】
続くステップＳ８０２では、ステップＳ８０１で取得したロール紙幅Ｗおよびマージンｄより、ロール紙の幅方向における記録可能範囲Ｗ´を算出する。
【００３６】
ステップＳ８０３では、原稿画像の幅Ｄが記録可能範囲Ｗ´を超えているか否かを判断する。そして、Ｄ＞Ｗ´の場合、ポスター印刷処理が必要と判断し、ステップＳ８０４へ進む。一方、ステップＳ８０３でＤ≦Ｗ´の場合、原稿画像は分割することなくロール紙に記録可能であると判断し、本処理を終了する。
【００３７】
ステップＳ８０４では、原稿画像の幅Ｄと、ロール紙幅Ｗ、マージンｄおよびステップＳ８０１で取得した貼り合わせ領域幅ｋから、原稿画像の分割数Ｎを算出する。この際、本実施形態では、原稿画像内のつなぎ部となる位置にはマージンｄではなく、これより大きな貼り合わせ領域ｋを余白として用意する。そして、原稿画像の両端部にはマージンｄを用意する。例えば、ロール紙幅Ｗ＝３００ｍｍ、マージンｄ＝５ｍｍ、貼り合わせ領域幅ｋ＝３０ｍｍで、原稿画像の幅Ｄ＝６００ｍｍである場合、Ｎ＝３となる。具体的に３分割された夫々の画像に着目すると、左の画像は、左側に余白ｄ＝５ｍｍ、右側に余白ｋ＝３０ｍｍが形成され、残りの２６５ｍｍ（＝３００−３５）が画像記録領域となる。また、真ん中の画像についても、左側に余白ｄ＝５ｍｍ、右側に余白ｋ＝３０ｍｍが形成され、残りの２６５ｍｍ（＝３００−３５）が画像記録領域となる。右の画像については、左側に余白ｄ＝５ｍｍが形成され、原稿画像幅Ｄのうち残りの画像領域７０ｍｍ（＝６００−（２６５＋２６５））が画像記録領域となる。結果、右側には２２５ｍｍ（＝３００−（５＋７０））の余白が形成される。貼り合わせ領域幅ｋとして、マージンｄよりも多くの余白を用意しているため、第１の実施形態に比べ、画像全体が右に広がり、右の画像の右余白が小さくなっている。なお、上記例の場合、分割数Ｎ＝３は第１の実施形態と同等であったが、ｋの値によっては分割数Ｎは第１の実施形態よりも大きくなることもある。
【００３８】
ステップＳ８０５では、上記条件Ｗ、ｄ、ｋ、Ｗ´、ＤおよびＮに基づいて、分割した原稿画像のレイアウト状態を表示装置２０４を介して表示し、ユーザによる原稿レイアウトの変更を受容する。この際、本実施形態では、分割位置に相当する４箇所の余白幅が、ｄではなくこれより大きなｋとなるので、拡大された画像の右端は、図６（ｂ）よりも更に右の位置に移動することになる。そして、ユーザは、このようなレイアウト画像を確認しながら、入力装置２０３を介して原画像を好みの位置にレイアウトすることが出来る。その後、ステップＳ８０６において、ユーザが編集終了コマンドを入力することによって、本処理は終了する。
【００３９】
図９は、図８で説明した印刷レイアウト処理の終了後、ユーザがプリント開始コマンドを入力した場合に、プリンタドライバ４が実行する記録処理を説明するためのフローチャートである。本処理が開始すると、プリンタドライバ４は、まずステップＳ９０１において、ロール紙の幅Ｗおよび分割画像の長辺から、出力用紙の横サイズおよび縦サイズを決定する。そして、出力用紙の縦幅を仕上がりサイズの長辺に設定し、プリンタ２が実際に記録を行うカスタムサイズとして登録する。
【００４０】
そして、続くステップＳ９０２では、図８で説明した印刷レイアウトの結果に基づき、ステップＳ９０１で設定されたカスタムサイズの出力用紙を、複数枚出力する。具体的には、図３を参照するに、ロール状に保持されている出力用紙が搬送経路に供給された後、好みの位置にレイアウトされた３つの画像がプリント部３４において順次記録される。そして、このようなレイアウトで印刷された領域は、カッタ部６において、カスタムサイズの長辺の長さで切断された後、トレイ１２上に排出される。以上で本処理が終了する。
【００４１】
その後ユーザは、貼り付け領域ｋを介して、出力された３つの記録物を貼り合わせる。これにより、所望の位置で分割および張り合わせが行われた結果物を得ることが出来る。
【００４２】
以上説明したように、本発明によれば、ポスター印刷を行う際、ユーザは、所望の位置で分割および張り合わせが行われた結果物を得ることが出来る。
【００４３】
なお、以上では、連続紙であるロール紙に印刷する場合を例に説明を行ってきたが、ユーザが図６で示したような印刷プレビュー画面を確認しながら、原稿画像をレイアウトするという本発明の特徴は、カット紙を用いた場合にも有効に機能する。カット紙の場合は、搬送方向にも出力用紙の限界があるので、原稿画像は用紙の幅方向（短辺方向）のみならず、搬送方向（長辺方向）にも分割されることが想定される。このような場合であっても、複数に分割されたレイアウト画像を確認しながら、ユーザが原稿画像を好みの位置にレイアウト調整することが出来れば本発明の範疇である。
【００４４】
また、以上では、図１で示したように、プリンタドライバがインストールされたホスト装置１とプリンタ２とで構成される印刷システムと本発明の印刷制御装置として説明してきたが、本発明の印刷制御装置はこのような構成に限定されるものではない。例えば、プリンタドライバが実行するとして説明した図６に示す処理の全体を、プリンタ２自身が行うような構成としても構わない。このような場合には、プリンタそのものが本発明の印刷制御装置となる。
【００４５】
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００４６】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【００４７】
１      ホスト装置
２      プリンタ
３      アプリケーション
４      プリンタドライバ
５      ポスター割付印刷制御部
【図１】
2015138505.tif 000003
【図２】
2015138505.tif 000004
【図３】
2015138505.tif 000005
【図４】
2015138505.tif 000006
【図５】
2015138505.tif 000007
【図６】
2015138505.tif 000008
【図７】
2015138505.tif 000009
【図８】
2015138505.tif 000010
【図９】
2015138505.tif 000011